(57)【特許請求の範囲】
【請求項１】
記録媒体が挿通操作される開口部を有するパネル部と、このパネル部に対してスライド可能に支持されスライド操作されることにより上記開口部を開閉蓋する蓋部材と、この蓋部材をスライド操作する駆動手段とを有するフロントパネルと、
上記駆動手段の動作を制御する制御手段とを備え、
上記制御手段は、第１の動作モードにおいては、初期状態において上記蓋部材を上記開口部及びこの開口部の近傍に配設された操作釦を覆う閉位置となし、開蓋が指示されたときに該蓋部材を該開口部及び該操作釦を外方に臨ませる開位置となし、第２の動作モードにおいては、初期状態において上記蓋部材を該開口部を覆い該操作釦を外方に臨ませる半開位置となし、開蓋が指示されたときに該蓋部材を上記開位置となしてなる記録及び／又は再生装置。
【請求項２】
駆動手段は、回転体カムと、制御手段に制御されて該回転体カムを回転操作する回転駆動手段と、該回転体カムに倣って移動操作され蓋部材をスライド操作する伝達機構とを有して構成され、
上記回転体カムは、上記蓋部材を閉位置となす初期位置より該蓋部材を開位置となす開蓋位置に亘って一方の回転方向に形成された第１のカム部と、該初期位置より該開蓋位置に亘って他方の回転方向に形成された第２のカム部とを有し、制御手段は、第１の動作モードにおいては、初期状態において上記回転体カムを上記初期位置となし、開蓋が指示されたときに該回転体カムを上記伝達機構を上記第１のカム部に倣わせる方向に上記開蓋位置まで回転操作し、第２の動作モードにおいては、初期状態において該回転体カムを該伝達機構を上記第２のカム部に倣わせる方向に回転操作して該蓋部材を半開位置となす半開蓋位置となし、開蓋が指示されたときに該回転体カムを上記伝達機構を上記第２のカム部に倣わせる方向に該開蓋位置まで回転操作してなる請求項１記載の記録及び／又は再生装置。
【発明の詳細な説明】
【０００１】
【発明の属する技術分野】
本発明は、記録及び／又は再生装置の如き電子機器の外筐体の前面部分を構成するフロントパネル、及び、このフロントパネルを備えて構成された外筐体を有する記録及び／又は再生装置に関する。
【０００２】
【従来の技術】
従来、いわゆる光ディスクプレーやの如き、記録媒体を使用して情報信号の記録及び／又は再生を行うように構成された記録及び／又は再生装置が提案されている。このような記録及び／又は再生装置は、前面部がフロントパネルにより構成された外筐体を有し、この外筐体内に、上記記録媒体に対する情報信号の記録及び／又は再生を行う記録及び／又は再生部が配設されて構成されている。上記記録媒体としては、光ディスク、光磁気ディスク、磁気ディスク等の記録ディスクや、テープカセットとして構成された記録テープが用いられる。
【０００３】
上記フロントパネルには、上記記録媒体が挿通されてこの記録媒体の上記外筐体内に対する出入操作を可能となす開口部が形成されている。この開口部は、上記記録媒体の形状に対応されて、例えば、横長のスリット状の形状を有して形成されている。そして、この開口部は、上記記録媒体が挿通されるときの他、すなわち、上記記録及び／又は再生装置が非使用状態であるとき、及び、該記録媒体の上記記録及び／又は再生部への装着が完了された後においては、蓋部材により開蓋されるようになされている。この蓋部材は、上記開口部を閉蓋することにより、上記外筐体内への塵挨の侵入や、該外筐体内に手指等が不用意に進入されることによる上記記録及び／又は再生部の破損の如き不測の事故を防止するものである。
【０００４】
上記蓋部材は、上記フロントパネルにおいて、回動可能に、あるいは、スライド可能に取り付けられ、移動操作されることにより、上記開口部を開閉蓋する。
【０００５】
ところで、上記フロントパネルの前面部には、上記記録及び／又は再生部を操作するための種々の操作釦が配設されている。
【０００６】
【特許文献１】
実開平３−２４２８５６号公報
【特許文献２】
実開平５−１６６２６７号公報
【０００７】
【発明が解決しようとする課題】
ところで、上述のようなフロントパネルを有する記録及び／又は再生装置においては、上記記録媒体の大きさに対応して上記開口部の大きさが大きくなると、この開口部に対応して上記蓋部材の大きさも大きくなる。この蓋部材をスライド可能に支持する場合においては、この蓋部材のスライド可能なストロークは、少なくともこの蓋部材の幅より大きくしなければならない。したがって、この蓋部材の大きさが大きくなると、スライドストロークが大きくなり、この蓋部材を支持する部材の該蓋部材のスライド方向の長さが拡大して、上記外筐体内に収納できなくなってしまう。したがって、上記蓋部材が大型化すると、上記スライドストロークを拡大することができない。
【０００８】
また、上記蓋部材を回動可能に支持する場合にあっても、この蓋部材が大型化すると、この蓋部材が回動されたときの前方側、あるいは、上記外筐体の内方側への、この蓋部材の突出量が大きくなってしまい、上記操作釦に対する操作が円滑に行えなくなる。
【０００９】
そして、上記記録及び／又は再生装置においては、動作モードの多様化に伴い、特定の動作モードを選択した場合にしか使用しない操作釦が多くなっている。また、近年、リモートコントローラ（遠隔操作装置）の機能の向上により、上記記録及び／又は再生部に対する種々の操作は、上記フロントパネル上に配設された操作釦を使用せずとも行えるようになっている。このように、上記操作釦は、上記記録及び／又は再生装置の通常の使用状態においては使用されないものが多いので、むしろ、美観上の障害、すなわち、該記録及び／又は再生装置のフロントパネルのデザインの自由度を阻害するものとなっている。
【００１０】
そこで、上記記録及び／又は再生装置においては、上記蓋部材は、上記開口部を開閉蓋するためのみならず、通常使用されない操作釦を覆って隠すための部材として使用されている。ところが、上記蓋部材は、上記開口部のみならず、上記操作釦をも覆い得るように構成すると、蓋開口部よりも大きなものとなってしまい、スライドストロークを拡大することができなくなってしまう。
【００１１】
そこで、本発明は、上述の実情に鑑みて提案されるものであって、フロントパネルを有して構成され、このフロントパネル上に配設された操作釦のうちの少なくとも一部が、動作モードに応じて、スライド可能に支持された上記蓋部材により覆われ、または、外方側に露出されるようになされた記録及び／又は再生装置を提供することを目的とする。
【００１２】
【課題を解決するための手段】
上述の課題を解決し上記目的を達成するため、本発明に係る記録及び／又は再生装置は、記録媒体が挿通操作される開口部を有するパネル部とこのパネル部に対してスライド可能に支持されスライド操作されることにより上記開口部を開閉蓋する蓋部材とこの蓋部材をスライド操作する駆動手段とを有するフロントパネルと、上記駆動手段の動作を制御する制御手段とを備え、上記制御手段は、第１の動作モードにおいては、初期状態において上記蓋部材を上記開口部及びこの開口部の近傍に配設された操作釦を覆う閉位置となし、開蓋が指示されたときに該蓋部材を該開口部及び該操作釦を外方に臨ませる開位置となし、第２の動作モードにおいては、初期状態において上記蓋部材を該開口部を覆い該操作釦を外方に臨ませる半開位置となし、開蓋が指示されたときに該蓋部材を上記開位置となしてなるものである。
【００１３】
また、本発明は、上記の記録及び／又は再生装置において、上記駆動手段は、回転体カムと制御手段に制御されて該回転体カムを回転操作する回転駆動手段と該回転体カムに倣って移動操作され蓋部材をスライド操作する伝達機構とを有して構成されたものとし、上記回転体カムは、上記蓋部材を閉位置となす初期位置より該蓋部材を開位置となす開蓋位置に亘って一方の回転方向に形成された第１のカム部と該初期位置より該開蓋位置に亘って他方の回転方向に形成された第２のカム部とを有するものとし、上記制御手段は、第１の動作モードにおいては、初期状態において上記回転体カムを上記初期位置となし、開蓋が指示されたときに該回転体カムを上記伝達機構を上記第１のカム部に倣わせる方向に上記開蓋位置まで回転操作し、第２の動作モードにおいては、初期状態において該回転体カムを該伝達機構を上記第２のカム部に倣わせる方向に回転操作して該蓋部材を半開位置となす半開蓋位置となし、開蓋が指示されたときに該回転体カムを上記伝達機構を上記第２のカム部に倣わせる方向に該開蓋位置まで回転操作することとしたものである。
【００１４】
本発明に係る記録及び／又は再生装置においては、パネル部に対してスライド可能に支持された蓋部材をスライド操作する駆動手段の動作を制御する制御手段は、第１の動作モードにおいては、初期状態において上記蓋部材を該パネル部に設けられた開口部及びこの開口部の近傍に配設された操作釦を覆う閉位置となし、開蓋が指示されたときに該蓋部材を該開口部及び該操作釦を外方に臨ませる開位置となし、第２の動作モードにおいては、初期状態において上記蓋部材を該開口部を覆い該操作釦を外方に臨ませる半開位置となし、開蓋が指示されたときに該蓋部材を上記開位置となすので、動作モードに応じて、初期状態における蓋部材の位置を変更し、操作釦を外方に臨ませるか否かを選択する。
【００１５】
また、上記記録及び／又は再生装置において、上記駆動手段は、上記回転体カムと上記制御手段に制御されて該回転体カムを回転操作する回転駆動手段と該回転体カムに倣って移動操作され蓋部材をスライド操作する伝達機構とを有して構成されたものとし、上記回転体カムは、上記蓋部材を閉位置となす初期位置より該蓋部材を開位置となす開蓋位置に亘って一方の回転方向に形成された第１のカム部と該初期位置より該開蓋位置に亘って他方の回転方向に形成された第２のカム部とを有するものとし、上記制御手段は、第１の動作モードにおいては、初期状態において上記回転体カムを上記初期位置となし、開蓋が指示されたときに該回転体カムを上記伝達機構を上記第１のカム部に倣わせる方向に上記開蓋位置まで回転操作し、第２の動作モードにおいては、初期状態において該回転体カムを該伝達機構を上記第２のカム部に倣わせる方向に回転操作して該蓋部材を半開位置となす半開蓋位置となし、開蓋が指示されたときに該回転体カムを上記伝達機構を上記第２のカム部に倣わせる方向に該開蓋位置まで回転操作することとした場合には、動作モードに応じて初期状態における蓋部材の位置を変更することによる操作釦を外方に臨ませるか否かの選択が、上記回転体カムの回転操作方向の選択によって行うことができる。
【００１６】
【発明の実施の形態】
以下、本発明の具体的な実施の形態を図面を参照しながら説明する。
【００１７】
フロントパネルは、図２及び図３に示すように、本発明に係る記録及び／又は再生装置の外筐体１００の前面側部分を構成するものである。この例は、本発明に係る記録及び／又は再生装置を、情報信号として映像信号及び音声信号が記録された光学式のビデオディスクを記録媒体として用いてこのビデオディスクの再生を行うディスクプレーヤとして構成した例である。このビデオディスクは、透明な合成樹脂材料よりなる円盤状のディスク基板と、このディスク基板に被着形成された金属材料よりなる反射層とを有して構成されている。上記ディスク基板には、射出成形の如き手段により、情報信号に対応した微細凹凸（ピット）が形成されている。また、このビデオディスクの中心部には、チャッキング用の円形透孔が穿設されている。
【００１８】
〔ディスクプレーヤの概要〕
このディスクプレーヤは、図２に示すように、上記外筐体１００の底面部に配設される図示しないメインシャーシ上に、駆動軸を上方側に向けて配設されたスピンドルモータ９５を有している。このスピンドルモータ９５の駆動軸には、上記ビデオディスク２０１の中心部を保持するディスクテーブル９４が取り付けられている。すなわち、このディスクプレーヤ装置において、上記ビデオディスク２０１は、中心部の円形透孔の周辺部を上記ディスクテーブル９４により保持された状態で、このディスクテーブル９４とともに、上記スピンドルモータ９５により回転操作される。上記メインシャーシ上には、ガイドシャフト９８，９９により移動可能に支持された光学ピックアップ装置９６が配設されている。この光学ピックアップ装置９６は、対物レンズ９７を有し、この対物レンズ９７を上記ディスクテーブル９４上に保持されたビデオディスク２０１に対向させて支持されている。この光学ピックアップ装置９６は、上記各ガイドシャフト９８，９９に沿い、上記対物レンズ９７を上記ビデオディスク２０１に対向させた状態で、このビデオディスク２０１の内外周に亘って移動操作可能となされている。
【００１９】
上記光学ピックアップ装置９６は、上記対物レンズ９７より光束を射出し、この光束を上記ビデオディスク２０１に照射し、この光束の該ビデオディスク２０１よりの反射光束を検出することにより、該ビデオディスク２０１に記録された情報信号の読み出しを行うように構成されている。
【００２０】
そして、このディスクプレーヤは、上記外筐体１００内に、上記ビデオディスク２０１が載置されてこのビデオディスク２０１を搬送するディスクトレイ９１を有している。このディスクトレイ９１は、合成樹脂の如き材料により、略々矩形の平板状に形成され、上面部に上記ビデオディスク２０１に対応する円形凹部９２を有している。上記ビデオディスク２０１は、上記円形凹部９２内に嵌入されて、外周縁部を支持されて、このディスクトレイ９１上に載置される。また、このディスクトレイ９１は、略々中央部より後縁部に亘って、上記ディスクテーブル９４及び上記光学ピックアップ装置９６が挿通されるための切り欠き部９３を有している。このディスクトレイ９１は、上記外筐体１００内に収納され中央部を上記ディスクテーブル９４に対応させる図２に示すローディング位置と、後述するフロントパネルの開口部５４を介して該外筐体１００の前方側に突出される図３に示すアンローディング位置とに亘って、図３中矢印Ａで示すように、前後方向に移動操作可能に配設されている。
【００２１】
上記ディスクトレイ９１は、上記アンローディング位置となされているときに、上記円形凹部９２内への上記ビデオディスク２０１の載置及び取り出しが可能となされている。そして、このディスクトレイ９１は、上記アンローディング位置にあるときに上記円形凹部９２内に上記ビデオディスク２０１を載置された後、上記ローディング位置に移動操作されることによって、該円形凹部９２内に載置されているビデオディスク２０１を上記ディスクテーブル９４の上方側位置となす。上記ディスクトレイ９１が上記ローディング位置に至ると、上記ディスクテーブル９４は、上記スピンドルモータ９５とともに、上方側に移動操作される。すると、上記ディスクテーブル９４は、上記ビデオディスク２０１をこのディスクテーブル９４上に装着させるとともに、このビデオディスク２０１を上記ディスクトレイ９１より離間させる上方側に移動させ、このビデオディスク２０１を該ディスクトレイ９１に当接しない位置にて保持する。そして、上記ビデオディスク２０１は、上記ディスクトレイ９１に当接することなく、上記スピンドルモータ９５により回転操作される。
【００２２】
このディスクプレーヤにおいては、上記ビデオディスク２０１が上記ディスクテーブル９４に装着されて上記スピンドルモータ９５により回転操作されることにより、上記光学ピックアップ装置９６による該ビデオディスク２０１よりの情報信号の読み出しが行われる。上記ビデオディスク２０１より読み出された情報信号は、このディスクプレーヤの有する信号処理回路により信号処理され、再生信号として出力される。
【００２３】
このディスクプレーヤは、第１の動作モードと第２の動作モードとを選択的に実行できるように構成されている。第１の動作モードであるノーマルモードにおいては、上記ビデオディスクの再生を行う。そして、上記第２の動作モードであるカラオケモードにおいては、上記ビデオディスクを再生するとともに、このビデオディスクより再生された音声信号とこのディスクプレーヤに接続されたマイクロホンより入力された音声信号とをミキシングして出力する。また、このカラオケモードにおいては、再生音声信号の音程を可変調整することができる。
【００２４】
また、このディスクプレーヤにおける種々の動作の実行は、上記外筐体１００内に配設された制御手段となる制御回路による制御に従ってなされる。
【００２５】
〔フロントパネルの構成〕
そして、フロントパネルは、図１に示すように、上記メインシャーシの前端側部分に取り付けられるフロントシャーシ１を有して構成される。このフロントシャーシ１は、金属板の如き材料が折り曲げ形成されることにより、横長矩形状の前面部分と、この前面部分の上下縁部及び左右側縁部より後方側に屈曲形成された枠部とを有して形成されている。このフロントパネル１は、上記枠部の下側部分を上記メインシャーシに取り付けられ、このメインシャーシ上に上記前面部分を立設させるようにして支持される。
【００２６】
上記フロントシャーシ１の前面部分には、上記ディスクトレイ９１が挿通するための開口部７が開設されている。この開口部７は、上記ディスクトレイ９１の前端面部に対応して、横長の略々矩形形状に形成されている。そして、このフロントシャーシ１の枠部には、複数の掛止突起６が形成されている。この掛止突起６は、このフロントシャーシ１に対して、パネル部２を掛止させるためのものである。
【００２７】
上記パネル部２は、合成樹脂の如き材料により、上記フロントシャーシ１の前面部分に略々対応する前板部と、該フロントシャーシ１の枠部に略々対応する枠部とを有して、一体的に形成されている。すなわち、このパネル部２は、上記フロントシャーシ１に取り付けられることにより、このフロントシャーシ１の前面側及び上記枠部の周囲部を覆うように形成されている。このパネル部２は、上記枠部の後端縁部分に、後方側に向けて突設され上記各掛止突起６に対応する複数の被掛止爪５を有している。このパネル部２は、図８及び図９に示すように、上記各被掛止爪５を上記各掛止突起６に掛止されることにより、上記フロントシャーシ１に取り付けられる。このパネル部２の前板部には、上記フロントシャーシ１の開口部７に対応して、開口部５４が開設されている。これら開口部７，５４は、上記パネル部２が上記フロントシャーシ１に取り付けられた状態において、互いに相対向する位置となされる。すなわち、この開口部５４は、上記ディスクトレイ９１挿通され得る大きさ及び形状を有して、上記パネル部２の前板部の略々中央部に位置して形成されている。
【００２８】
上記パネル部２には、上記開口部５４の上方側に位置して、第１及至第４の操作釦１０１，１０２，１０３，１０４が設けられている。これら操作釦１０１，１０２，１０３，１０４は、それぞれ上記パネル部２に対して前後方向に移動可能に配設されており、押圧操作されることによって、上記外筐体１００内に配設される図示しない回路基板上のスイッチを対応して押圧するようになされている。この回路基板上のスイッチは、上記制御回路に接続されている。これら操作釦１０１，１０２，１０３，１０４は、上記カラオケモードにおいて使用されるものであり、それぞれ、音程降下、通常音程、音程上昇、選曲等のカラオケモードのみにおいて実行される操作に対応付けられている。また、上記開口部５４の両側側位置には、複数の押し釦５８，６５，６６，６７，６８，６９からなる操作部が設けられている。これら各押し釦５８，６５，６６，６７，６８，６９は、それぞれ上記パネル部２に対して前後方向に移動可能に配設されており、押圧操作されることによって、上記回路基板上のスイッチを対応して押圧するようになされている。この回路基板上のスイッチは、上記制御回路に接続されている。これら押し釦５８，６５，６６，６７，６８，６９は、上記ノーマルモード及び上記カラオケモードにおいて使用されるものであり、それぞれ、電源投入、再生開始、再生停止、再生一次停止、ビデオディスクのイジェクト（すなわち、上記ディスクトレイ９１の移動操作）等のノーマルモード及びカラオケモードのいずれにおいても実行される操作に対応付けられている。上記制御回路は、上記操作釦及び上記操作部を構成する押し釦のいずれかが操作されると、操作された操作釦または押し釦に対応付けられた動作を実行させる。
【００２９】
また、上記パネル部２には、両側側部分の下方位置に上記外筐体１００内に配設され上記制御回路または上記信号処理回路に接続されたモード切り換えスイッチ８４、ボリューム調整摘み８２，８３，８６，８７、ヘッドホンジャック８５及びマイクロホンジャック８９，９０を前方側の外方に臨ませるための透孔６０，６１，６２，６３，７０，７１，７２，７３，７４が形成されている。また、このパネル部２の上記開口部５４の下方側位置には、上記外筐体１００内に配設される表示デバイスを外方から視認可能とするための表示窓部６４が設けられている。
【００３０】
上記パネル部２には、図１０及至図１４に示すように、上記開口部５４を開閉するための蓋部材が取り付けられている。この蓋部材は、蓋板３と蓋カバー４とから構成されている。この蓋板３は、金属板の如き材料により、上記開口部５４の下縁部より上記パネル部２の前板部の上端縁まで、すなわち、上記開口部５４及び上記各操作釦１０１，１０２，１０３，１０４を覆い得る程度の横長の略々平板状に形成されている。
【００３１】
上記蓋板３は、両側側部分を、上記パネル部２に上記開口部５４の両側側に位置して形成された一対のスリット５７に挿通させ、該パネル部２の前板部の背面側に進入させている。この蓋板３の両側縁部には、図１７及び図１８に示すように、それぞれ側方側に向けて支持ピン１１１，１１１が突設されている。この蓋板３は、上記各支持ピン１１１，１１１を、上記パネル部２の背面部に上記一対のスリット５７の両側側に位置して設けられた支持スリット１１２，１１２に対応して係合させることにより、上下方向にスライド可能となされている。また、この蓋板３は、両側側部分を、上記パネル部２の背面部に上記各支持スリット１１２，１１２の後方側に位置して形成された一対の第１のラックギヤ５６，５６に対向させている。この蓋板３の両側側部分には、上記一対の第１のラックギヤ５６，５６に対応して対向する一対の第２のラックギヤ７５，８１が形成されている。そして、これら各第１のラックギヤ５６，５６と、上記各第２のラックギヤ７５，８１との間には、それぞれピニオンギヤ５２，５３が介在され、各ラックギヤ５６，５６、７５，８１に噛合している。また、これら各ピニオンギヤ５２，５３は、ピニオンギヤ支軸５１を介して、互いに同軸状に軸部を連結されている。すなわち、上記蓋板３がスライドされると、上記各ピニオンギヤ５２，５３は、上記各第１及び第２のラックギヤ５６，５６、７５，８１間で転動されて、上記ピニオンギヤ支軸５１とともに、図１７中に矢印Ｊで示すように、該蓋板３のスライド距離の半分の距離を移動する。これらピニオンギヤ５２，５３は、上記蓋板３の傾きを防止して支持し、この蓋板３のスライドを円滑となす。
【００３２】
上記蓋板３には、縦方向に、ガイドスリット７７が設けられている。このガイドスリット７７には、上記パネル部２の前面部に突設されたガイドピン５５が挿通されている。上記蓋板３は、上記ガイドピン５５が上記ガイドスリット７７の下端部に当接する位置より、該ガイドピン５５が該ガイドスリット７７の上端部に当接する位置に亘る、図１７中矢印Ｈで示す該ガイドスリット７７の長さに相当する距離の範囲でスライド可能となされている。
【００３３】
上記各ラックギヤ５６，５６、７５，８１は、上記各ピニオンギヤ５２，５３の移動距離に対応して、上記蓋板３のスライド可能距離の略々半分の長さを有して形成されている。
【００３４】
上記蓋板３は、この蓋板３の側方部分の背面部に突設された掛止片７６と、上記パネル部２の前板部の背面部の掛止部１１０との間に介在配設された捻りコイルバネ１０５により、図７において矢印Ｄで示すように、上方側に弾性付勢されている。
【００３５】
そして、上記蓋カバー４は、合成樹脂の如き材料により、上記蓋板３に対応する大きさの平板状に形成されている。この蓋カバー４は、上記蓋板３の前面部に、ネジ止めされて取り付けられ、この蓋板３の前面部を覆う。
【００３６】
上記蓋部材は、スライド可能範囲の最も上方側に位置するとき、図４に示すように、上記開口部５４及び上記各操作釦１０１，１０２，１０３，１０４を覆う閉位置となされる。そして、この蓋部材は、スライド可能範囲の最も下方側に位置するとき、図６に示すように、上記開口部５４及び上記各操作釦１０１，１０２，１０３，１０４を前方側に臨ませる開位置となされる。また、この蓋部材は、スライド可能範囲の略々中間に位置するとき、図５に示すように、上記開口部５４を覆い上記各操作釦１０１，１０２，１０３，１０４を前方側に臨ませる半開位置となされる。
【００３７】
そして、上記フロントシャーシ１には、図１６及び図２０に示すように、回転駆動手段となるカムモータ１５が取り付けられている。このカムモータ１５は、上記フロントシャーシ１に取り付けられたモータ支持板９に取り付けられている。このモータ支持板９は、図９に示すように、前端側を上記フロントシャーシ１の枠部の下方部分に取り付けられ、後方側に延在されて支持されている。このモータ支持板９は、上記開口部７の一側側部分の下方に位置している。上記フロントシャーシ１の前面部分の上記モータ支持板９に対応する位置には、上記開口部７に連続した切り欠き部８が形成されている。すなわち、上記モータ支持板９は、上記切り欠き部８を介して、上記フロントシャーシ１の前面部分の前方側に臨んでいる。
【００３８】
上記モータ支持板９上には、図２１に示すように、上記カムモータ１５の駆動軸に取り付けられたウォームギヤ１６に噛合するウォームホイール１４が、支軸１３を介して回転可能に取り付けられている。このウォームホイール１４には、同軸の平ギヤである第１の伝達ギヤが一体的に形成されている。この第１の伝達ギヤは、上記モータ支持板９上に回転可能に取り付けられた第２の伝達ギヤ１７に噛合している。この第２の伝達ギヤ１７には、第１の直歯傘歯車１８が同軸状に一体的に形成されている。また、この第２の伝達ギヤ１７には、複数（例えば４個）の接点部を有する位置検出用ブラシ１９が取り付けられている。この位置検出用ブラシ１９は、上記モータ支持板９上に配設された位置検出用基板１０上の複数（例えば４本）の導体パターンに、上記各接点部を対応させて摺接させる。上記第２の伝達ギヤ１７の回転角度位置は、上記位置検出用ブラシ１９の接点部の上記導体パターンへの摺接状態を該導体パターンの電位に基づいて検出することにより、検出することができる。
【００３９】
上記カムモータ１５の駆動制御及び上記第２の伝達ギヤ１７の回転角度位置の検出は、上記ディスクプレーヤにおいて、上記制御回路が行う。
【００４０】
上記フロントシャーシ１には、上記切り欠き部８を閉塞するようにして、伝達機構支持板２４が取り付けられている。この伝達機構支持板２４は、平板状に形成され、両端側の支持片部２５，２５を上記フロントシャーシ１の前面板部にネジ止めされている。また、この伝達機構支持板２４の前面部には、カム支持板３５が取り付けられている。このカム支持板３５には、カム支軸３６が後方側に向けて植設されている。このカム支軸３６には、図２１及至図２３に示すように、伝達機構を構成する略々円盤状の回転体カム２８が回転可能に取り付けられている。この回転体カム２８は、上記カム支持板３５と上記伝達機構支持板２４との間に位置している。この回転体カム２８は、中心部より後方側に向けて突設された円柱部を有している。この円柱部は、上記伝達機構支持板２４に設けられた切り欠き部３４を挿通して、上記フロントシャーシ１の前面部分よりも後方側に延在されている。この円柱部の先端部は、上記第２の伝達ギヤ１７の中心部付近、すなわち、上記第１の直歯傘歯車１８上に位置している。この円柱部の先端側には、上記第１の直歯傘歯車１８に噛合する第２の直歯傘歯車３１が形成されている。これら各直歯傘歯車１８，３１の歯数は、互いに等しい。すなわち、上記回転体カム２８は、上記第２の伝達ギヤ１７と等しい角速度で、上記カムモータ１５の駆動力により回転操作される。したがって、上記回転検出用基板１０上の各導体パターンを介して検出される上記第２の伝達ギヤ１７の回転角度位置は、上記回転体カム２８の回転角度位置にも対応している。
【００４１】
上記伝達機構支持板２４には、図２２及び図２３に示すように、上記伝達機構を構成するスライダ２０及びスイングアーム４８が取り付けられている。上記スライダ２０は、長手方向を横方向となして形成された一対の支持スリット２１，２１を有しており、これら支持スリット２１，２１に上記伝達機構支持板２４に植設された支持ピン１１５，１１５を挿通させることにより、図２３中矢印Ｌ及び矢印Ｋで示すように、横方向にスライド可能となされている。このスライダ２０には、上記回転体カム２８の円柱部が挿通されるための透孔３３が形成されている。このスライダ２０は、このスライダ２０に設けられたバネ掛止片２２と上記伝達機構支持板２４に設けられたバネ掛止片１１４との間に張架された引っ張りコイルバネ２３により、図２３中矢印Ｋで示す上記フロントシャーシ１の中央側方向に弾性付勢されて、初期位置に位置決めされている。
【００４２】
上記スイングアーム４８は、基端側部分を、支軸４５を介して、上記伝達機構支持板２４の前面部に対し回動可能に支持されている。このスイングアーム４８は、図１９に示すように、先端側を上記開口部７の前方側位置に延在させ、基端部近傍を上記伝達機構支持板２４に設けられた円弧状の透孔２７を介して、上記スライダ２０に臨ませている。このスイングアーム４８の基端部近傍には、連係ピン４９が植設されている。この連係ピン４８は、上記スライダ２０に長手方向を縦方向となして形成された連係スリット１０９に挿通係合している。すなわち、上記スイングアーム４８は、上記スライダ２０が上記引っ張りコイルバネ２３の付勢力に抗してスライドされると、このスライダ２０のスライドに連動して、図２３中矢印Ｍで示すように、上記支軸４５回りに先端側部分を下方側に移動させる方向に回動される。上記スライダ２０が初期位置にあるとき、上記パネル部２が上記フロントシャーシ１に取り付けられている場合には、上記スイングアーム４８の先端側部分は、図７、図１５及び図１６に示すように、該パネル部２の開口部５４を挿通してこのパネル部２の前板部分よりも前方側に位置しており、上記蓋板３の背面側に位置している。このスイングアーム４８の先端側部分は、上記蓋板３の下端縁部分と、上記ピニオンギヤ支軸５１との間に進入している。そして、上記蓋板３の下端縁部分であって上記スイングアーム４８の先端側部分の下方側となる位置には、被押圧ピン７９が植設されている。上記スイングアーム４８は、図２６において矢印Ｅで示すように、先端側部分を下方側に移動させる方向に回動されると、この先端側部分の下縁部である押圧縁５０によって、上記被押圧ピン７９を押圧して、図２６に示すように、上記蓋板３を下方側にスライドさせる。
【００４３】
上記スライダ２０には、上記回転体カム２８の背面側の主面部に対向する第１の倣いピン１１３が植設されている。この第１の倣いピン１１３は、図２５に示すように、上記回転体カム２８の背面側の主面部に形成された第１及び第２のカム部２９ａ，２９ｂに倣って、上記スライダ２０の位置を決める。
【００４４】
上記第１のカム部２９ａは、図２５中Ｎで示す０°位置より、図２５中Ｏで示す１８０°位置に亘って形成されている。この第１のカム部２９ａは、上記０°位置より上記１８０°位置に亘って、上記カム支軸３６が挿通される中心孔３２よりの距離が徐々に拡大するように形成されている。上記回転体カム２８が初期位置であるときには、上記倣いピン１１３は、上記０°位置の第１のカム部２９ａに当接して、上記スライダ２０を初期位置となす。このとき、上記倣いピン１１３は、上記中心孔３２に最も近接した位置となされる。このとき、上記蓋部材は、上記閉位置となされている。
【００４５】
そして、上記回転体カム２８が、図２５中矢印Ｗで示す一方向に回転操作されると、上記倣いピン１１３は、上記第１のカム部２９ａに倣って移動され、上記スライダ２０を上記引っ張りコイルバネ２３の付勢力に抗してスライドさせる。上記回転体カム２８が、１８０°回転操作されて開蓋位置となされると、上記倣いピン１１３は、上記１８０°位置の第１のカム部２９ａに当接している。このとき、上記倣いピン１１３は、上記中心孔３２より最も離間した位置、すなわち、該中心孔３２よりの距離が上記回転体カム２８の半径に略々等しい距離である位置となされる。このとき、上記蓋部材は、上記開位置となされている。
【００４６】
このように、上記倣いピン１１３が上記第１のカム部２９ａに倣って移動されたときには、上記スライダ２０及び上記蓋部材の移動は、上記回転体カム２８が一定速度で回転された場合において一様な速度となっている。このような、上記蓋部材の一様な速度でのスライドは、第１の移動履歴であって、上記ノーマルモードにおける該蓋部材のスライドに使用される。
【００４７】
そして、上記回転体カム２８が上記１８０°位置より上記０°位置まで、図２５中矢印Ｘで示すように、他方向に回転されると、上記蓋部材は、上記第１の移動履歴を逆に辿って、上記閉位置に復帰する。
【００４８】
上記第２のカム部２９ｂは、上記１８０°位置より、図２５中Ｎで示す３６０°位置（すなわち、上記０°位置）に亘って、上記回転体カム２８の中心孔３２を介して上記第１のカム部２９ａの反対側に形成されている。この第２のカム部２９ｂは、上記１８０°位置より上記３６０°位置に亘って、上記カム支軸３６が挿通される中心孔３２よりの距離が徐々に縮小するとともに、図２５中Ｑで示す約２７０°位置近辺に、図２５中矢印Ｒで示す同心円状部分を有して形成されている。上記回転体カム２８が初期位置であるときには、上記倣いピン１１３は、上記３６０°位置の第２のカム部２９ｂに当接して、上記スライダ２０を初期位置となす。このとき、上記倣いピン１１３は、上記中心孔３２に最も近接した位置となされる。このとき、上記蓋部材は、上記閉位置となされている。
【００４９】
そして、上記回転体カム２８が、図２５中矢印Ｕで示す他方向に回転操作されると、上記倣いピン１１３は、上記第２のカム部２９ｂに倣って移動され、上記スライダ２０を上記引っ張りコイルバネ２３の付勢力に抗してスライドさせる。上記回転体カム２８が、約９０°回転されて半開蓋位置となされると、上記倣いピン１１３は、上記２７０°位置の第２のカム部２９ｂに当接している。このとき、上記倣いピン１１３は、上記中心孔３２よりの距離が上記回転体カム２８の半径の半分程度となる位置となされる。このとき、上記蓋部材は、上記半開位置となされている。
【００５０】
上記回転体カム２８が、図２５中矢印Ｔで示すように、さらに約９０°回転操作されて開蓋位置となされると、上記倣いピン１１３は、上記１８０°位置の第２のカム部２９ｂに当接している。このとき、上記倣いピン１１３は、上記中心孔３２より最も離間した位置となされる。このとき、上記蓋部材は、上記開位置となされている。
【００５１】
このように、上記倣いピン１１３が上記第２のカム部２９ｂに倣って移動されたときには、上記スライダ２０及び上記蓋部材の移動は、上記回転体カム２８が一定速度で回転された場合において途中で一旦停止するような速度となっている。このような、上記蓋部材が途中で一旦停止するようなスライドは、第２の移動履歴であって、上記カラオケモードの選択時及びこのカラオケモードにおける該蓋部材のスライドに使用される。
【００５２】
そして、上記回転体カム２８が上記１８０°位置より上記３６０°位置まで、図２５中矢印Ｓ及び矢印Ｖで示すように、一方向に回転されると、上記蓋部材は、上記第２の移動履歴を逆に辿って、上記半開位置を経て、上記閉位置に復帰する。
【００５３】
そして、上記カム支持板３５には、ストッパ部材となるストッパアーム４７が支軸４２を介して回動可能に取り付けられている。このストッパアーム４７は、基端側を上記支軸４２により支持され、先端側を上方側に向けて支持され、上記回転体カム２８の前方側に位置している。このストッパアーム４７は、一側部に設けられたバネ掛止片４１と上記カム支持板３５に設けられたバネ掛止部４０との間に張架された引っ張りコイルバネ３９によって、図２２中矢印Ｆで示すように、先端側を上記回転体カム２８の中心部より離間させる方向に回動付勢されている。このストッパアーム４７の中途部には、上記回転体カム２８の前面側の主面部に溝状に形成された第３のカム部３０に嵌入された第２の倣いピン４３が植設されている。この第２の倣いピン４３は、上記引っ張りコイルバネ３９の付勢力によって、上記第３カム部３０の外周縁に倣わされて位置決めされている。
【００５４】
上記ストッパアーム４７の先端部は、水平方向に屈曲されて当接部４４となされている。この当接部４４は、上記ストッパアーム４７が初期位置にあるときに、上記蓋板３の背面部に突設された被当接片８０の直下に位置している。このストッパアーム４７が初期位置にあるときには、上記開位置にある蓋部材を下方側にスライドさせようとすると、この蓋部材が上記半開位置に至ったときに、上記被当接片８０が上記当接部４４に当接され、この蓋部材の該半開位置よりも下方へのスライドが阻止される。そして、このストッパアーム４７が、図２２中矢印Ｇで示すように、上記回転体カム２８の中心側に回動操作されたときには、上記開位置にある蓋部材を下方側にスライドさせようとすると、上記被当接片８０が上記当接部４４の側方側を通過し、この蓋部材は、上記開位置までスライドされることができる。また、上記蓋部材が上記半開位置よりも下方側にスライドされているときには、上記ストッパアーム４７は、上記当接部４４が上記被当接片８０の側面部に当接することにより、初期位置への復帰が阻止される。
【００５５】
上記第３のカム部３０は、図２４に示すように、図２４中Ｎで示す０°位置において上記ストッパアーム４７を初期位置となし、図２４中Ｏで示す１８０°位置において該ストッパアーム４７を上記引っ張りコイルバネ３９の付勢力に抗して回動させるように形成されている。上記回転体カム２８は、上記蓋部材を上記第１の移動履歴によってスライドさせるときには、図２４中Ｐで示す略々４０°位置において、すなわち、上記蓋部材が上記半開位置に相当する位置に至った後上記開位置に向かう途中で、上記ストッパアーム４７に対する回動操作を開始する。そして、この回転体カム２８は、上記蓋部材を上記第２の移動履歴によってスライドさせるときには、図２４中Ｑで示す約２７０°位置及至約２６０°位置において、すなわち、上記蓋部材が上記半開位置より上記開位置に向かう途中で、上記ストッパアーム４７に対する回動操作を開始する。
【００５６】
すなわち、上記ストッパアーム４７は、上記回転体カム２８が初期位置にあるときには、上記蓋部材が上記開位置までスライドされることを阻止する初期位置となされ、該回転体カム２８が回転操作されて該蓋部材をスライドさせるときには、この蓋部材のスライドの途中で、上記第３のカム部３０に倣って回動されて、上記当接部４４を上記蓋部材の被当接片８０の移動軌跡から退避した位置に移動させる。
【００５７】
そして、上記ストッパアーム４７の他側部には、被検出片１０８が突設されている。上記パネル部２の背面部には、図７に示すように、検出スイッチ１０７が配設されている。この検出スイッチ１０７は、上記ストッパアーム４７が初期位置にあることを検出する。上記ディスクプレーヤの制御回路は、上記ストッパアーム４７が初期位置に復帰していないときには、上記蓋部材が閉位置に復帰されていないものとみなして、再生動作の実行が指示されても、再生動作を実行しない。
【００５８】
〔ディスクプレーヤの動作〕
上述のように構成されたフロントパネルを有して構成されたこのディスクプレーヤにおいては、電源が投入され、上記モード切り換えスイッチ８４によりノーマルモードが選択されると、上記制御回路は、初期状態において、上記蓋部材を上記閉位置となす。このとき、上記蓋部材は、上記半開位置までは外力によるスライドが可能であるが、この半開位置よりも下方へのスライドは、上記ストッパアーム４７に阻止される。そして、上記操作部により上記ディスクトレイ９１の移動操作が指示されると、上記制御回路は、上記第１の移動履歴によって上記蓋部材を上記開位置までスライドさせ、上記ディスクトレイ９１を前方側のアンローディング位置に移動させる。そして、この状態で、上記操作部により、上記ディスクトレイ９１を上記外筐体１００内に収納すべき指示がなされると、上記制御回路は、該ディスクトレイ９１を上記ローディング位置に移動させた後、上記蓋部材を、上記第１の移動履歴を逆に辿らせて上記閉位置までスライドさせる。すなわち、このとき、上記スライダ２０の第１の倣いピン１１３は、上記第１のカム部２９ａに対し、１８０°位置より０°位置まで倣わされる。このとき、上記ディスクトレイ９１に上記ビデオディスク２０１が載置されていたならば、このビデオディスク２０１は、上記ディスクテーブル９４上に装着される。上記ディスクトレイ９１が上記ローディング位置となされた後、上記蓋部材の上記閉位置への復帰が外力により阻害された場合には、上記ストッパアーム４７が初期位置に復帰しない。そして、このストッパアーム４７は、上記蓋部材が上記半開位置よりも上方側に復帰したときに、初期位置に復帰する。上記ビデオディスク２０１が上記ディスクテーブル９４上に装着され、上記ストッパアーム４７が初期位置に復帰した状態において、該ビデオディスク２０１の再生が可能となる。
【００５９】
そして、このディスクプレーヤにおいては、電源が投入され、上記モード切り換えスイッチ８４によりカラオケモードが選択されると、初期状態において、上記制御回路は、上記第２の移動履歴の前半部によって、上記蓋部材を上記半開位置となす。このとき、上記蓋部材は、この半開位置よりも下方へのスライドは、上記ストッパアーム４７に阻止されている。そして、上記操作部により上記ディスクトレイ９１の移動操作が指示されると、上記制御回路は、上記第２の移動履歴の後半部によって、上記蓋部材を上記開位置までスライドさせ、上記ディスクトレイ９１を前方側のアンローディング位置に移動させる。そして、この状態で、上記操作部により、上記ディスクトレイ９１を上記外筐体１００内に収納すべき指示がなされると、上記制御回路は、該ディスクトレイ９１を上記ローディング位置に移動させた後、上記蓋部材を、上記第２の移動履歴を逆に辿らせて上記半開位置までスライドさせる。すなわち、このとき、上記スライダ２０の第１の倣いピン１１３は、上記第２のカム部２９ｂに対し、１８０°位置より約２７０°位置まで倣わされる。このとき、上記ディスクトレイ９１に上記ビデオディスク２０１が載置されていたならば、このビデオディスク２０１は、上記ディスクテーブル９４上に装着される。上記ディスクトレイ９１が上記ローディング位置となされた後、上記蓋部材の上記半開位置への復帰が外力により阻害された場合には、上記ストッパアーム４７が初期位置に復帰しない。そして、このストッパアーム４７は、上記蓋部材が上記半開位置に復帰したときに、初期位置に復帰する。上記ビデオディスク２０１が上記ディスクテーブル９４上に装着され、上記ストッパアーム４７が初期位置に復帰した状態において、該ビデオディスク２０１のカラオケモードに従った再生、すなわち、上記マイクロホンジャック８９，９０に接続されたマイクロホンより入力された音声信号とミキシングした再生が可能となる。そして、このカラオケモードにおいては、上記各操作釦１０１，１０２，１０３，１０４が上記蓋部材の上方側に位置して外方側に臨んでおり、これら各操作釦１０１，１０２，１０３，１０４を用いて、カラオケモード特有の、音程調整、選曲、その他の操作を実行することができる。
【００６０】
なお、フロントパネル及び記録及び／又は再生装置において、上記第１の動作モード及び上記第２の動作モードは、上述の実施の形態の如く、ノーマルモード及びカラオケモードに限定されない。すなわち、上記第１の動作モード及び上記第２の動作モードは、この記録及び／又は再生装置をリモートコントロール装置を用いて遠隔操作するモード及びこの記録及び／又は再生装置を上記パネル部２に設けられた操作釦を用いて操作するモードにしてもよい。この場合には、上記閉位置にある蓋部材により覆われる操作釦は、上述のようなカラオケモードのみにおいて使用されるような操作釦ではなく、通常の記録及び／又は再生動作のために使用されるものとなる。
【００６１】
また、本発明に係る記録及び／又は再生装置は、上述の実施の形態に示した如く光学式の記録ディスクを記録媒体として使用する装置に限定されず、記録媒体として、記録テープをカセットに収納して構成されたテープカセットを使用する装置として構成してもよい。この場合においては、上記テープカセットは、上記開口部５４を介して上記外筐体１００内に挿入されて、この記録及び／又は再生装置に装着される。
【００６２】
【発明の効果】
上述のように、本発明に係る記録及び／又は再生装置においては、パネル部に対してスライド可能に支持された蓋部材をスライド操作する駆動手段の動作を制御する制御手段は、第１の動作モードにおいては、初期状態において上記蓋部材を該パネル部に設けられた開口部及びこの開口部の近傍に配設された操作釦を覆う閉位置となし、開蓋が指示されたときに該蓋部材を該開口部及び該操作釦を外方に臨ませる開位置となし、第２の動作モードにおいては、初期状態において上記蓋部材を該開口部を覆い該操作釦を外方に臨ませる半開位置となし、開蓋が指示されたときに該蓋部材を上記開位置となす。したがって、上記制御手段は、動作モードに応じて、初期状態における蓋部材の位置を変更し、操作釦を外方に臨ませるか否かを選択することができる。
【００６３】
また、上記記録及び／又は再生装置において、上記駆動手段は、上記回転体カムと上記制御手段に制御されて該回転体カムを回転操作する回転駆動手段と該回転体カムに倣って移動操作され蓋部材をスライド操作する伝達機構とを有して構成されたものとし、上記回転体カムは、上記蓋部材を閉位置となす初期位置より該蓋部材を開位置となす開蓋位置に亘って一方の回転方向に形成された第１のカム部と該初期位置より該開蓋位置に亘って他方の回転方向に形成された第２のカム部とを有するものとし、上記制御手段は、第１の動作モードにおいては、初期状態において上記回転体カムを上記初期位置となし、開蓋が指示されたときに該回転体カムを上記伝達機構を上記第１のカム部に倣わせる方向に上記開蓋位置まで回転操作し、第２の動作モードにおいては、初期状態において該回転体カムを該伝達機構を上記第２のカム部に倣わせる方向に回転操作して該蓋部材を半開位置となす半開蓋位置となし、開蓋が指示されたときに該回転体カムを上記伝達機構を上記第２のカム部に倣わせる方向に該開蓋位置まで回転操作することとした場合には、動作モードに応じて初期状態における蓋部材の位置を変更することによる操作釦を外方に臨ませるか否かの選択が、上記回転体カムの回転操作方向の選択によって行うことができる。
【００６４】
すなわち、本発明は、フロントパネルを有して構成され、このフロントパネル上に配設された操作釦のうちの少なくとも一部が、動作モードに応じて、スライド可能に支持された上記蓋部材により覆われ、または、外方側に露出されるようになされた記録及び／又は再生装置を提供することができるものである。
【図面の簡単な説明】
【図１】フロントパネルの構成を示す分解斜視図である。
【図２】上記フロントパネルを有して構成された本発明に係る記録及び／又は再生装置の構成を一部を破断して示す斜視図である。
【図３】上記記録及び／又は再生装置において、ディスクトレイが前方側に突出された状態を示す要部斜視図である。
【図４】上記記録及び／又は再生装置において蓋部材が閉位置となされた状態を示す正面図である。
【図５】上記記録及び／又は再生装置において上記蓋部材が半開位置となされた状態を示す正面図である。
【図６】上記記録及び／又は再生装置において上記蓋部材が開位置となされた状態を示す正面図である。
【図７】上記フロントパネルの要部の構成を示す斜視図である。
【図８】上記フロントパネルの構成を透視して示す正面図である。
【図９】上記フロントパネルの構成を透視して示す平面図である。
【図１０】上記フロントパネルのパネル部の構成を透視して示す正面図である。
【図１１】上記フロントパネルのパネル部の構成を透視して示す平面図である。
【図１２】上記フロントパネルのパネル部の構成を示す正面図である。
【図１３】上記フロントパネルのパネル部の構成を示す背面図である。
【図１４】上記フロントパネルのパネル部の構成を示す平面図である。
【図１５】上記フロントパネルの要部となる回転体カム、伝達機構及び蓋部材の構成を一部を透視して示す要部正面図である。
【図１６】上記フロントパネルの要部となるカムモータ、上記回転体カム、上記伝達機構及び上記蓋部材の構成を一部を透視して示す要部平面図である。
【図１７】上記フロントパネルの要部となる上記蓋部材の構成を一部を透視して示す要部正面図である。
【図１８】上記フロントパネルの要部となる上記蓋部材の構成を一部を透視して示す要部平面図である。
【図１９】上記フロントパネルの要部となるフロントシャーシ、回転体カム及び伝達機構の構成を一部を透視して示す正面図である。
【図２０】上記フロントパネルの要部となるフロントシャーシ、カムモータ、回転体カム及び伝達機構の構成を一部を透視して示す平面図である。
【図２１】上記カムモータ、回転体カム及び伝達機構の構成を示す拡大平面図である。
【図２２】上記回転体カム及び伝達機構の構成を示す拡大正面図である。
【図２３】上記回転体カム及び伝達機構の構成を示す拡大背面図である。
【図２４】上記回転体カムの形状を示す正面図である。
【図２５】上記回転体カムの形状を示す背面図である。
【図２６】上記フロントパネルの要部となる回転体カム、伝達機構及び蓋部材において、この蓋部材が開位置となされた状態を一部を透視して示す要部正面図である。
【符号の説明】
１  フロントシャーシ、２  パネル部、３  蓋板、４  蓋カバー、１５  カムモータ、２０  スライダ、２８  回転体カム、２９ａ  第１のカム部、２９ｂ  第２のカム部、３０  第３のカム部、４７  ストッパアーム、４８  スイングアーム、５２，５３  ピニオンギヤ、５４  開口部、５６  第１のラックギヤ、７５，８１  第２のラックギヤ、１０４  操作釦、１０７  検出スイッチ、２０１ビデオディスク
【図１】
0003620535.tif 000002
【図２】
0003620535.tif 000003
【図３】
0003620535.tif 000004
【図４】
0003620535.tif 000005
【図５】
0003620535.tif 000006
【図６】
0003620535.tif 000007
【図７】
0003620535.tif 000008
【図８】
0003620535.tif 000009
【図９】
0003620535.tif 000010
【図１０】
0003620535.tif 000011
【図１１】
0003620535.tif 000012
【図１２】
0003620535.tif 000013
【図１３】
0003620535.tif 000014
【図１４】
0003620535.tif 000015
【図１５】
0003620535.tif 000016
【図１６】
0003620535.tif 000017
【図１７】
0003620535.tif 000018
【図１８】
0003620535.tif 000019
【図１９】
0003620535.tif 000020
【図２０】
0003620535.tif 000021
【図２１】
0003620535.tif 000022
【図２２】
0003620535.tif 000023
【図２３】
0003620535.tif 000024
【図２４】
0003620535.tif 000025
【図２５】
0003620535.tif 000026
【図２６】
0003620535.tif 000027